(57)【要約】【課題】フィット性が向上するとともに、血圧を精度よく測定することができ、さらに、小さな力で効率よく血圧計用腕帯を拡開することができる血圧計用腕帯の提供を目的とする。【解決手段】血圧計用腕帯１は、空気袋１１と、空気袋１１の環状形態を保持するための弾性薄板３と、固定ベルト３１と、腕（図示せず）を着脱する際、弾性薄板３及び空気袋１１を拡開する操作手段２を備えており、操作手段２は、二つの回動板２２，２４と、この回動板２２，２４を回動自在に連結するヒンジ２１と、回動板２２，２４にそれぞれ突設された撮み２３，２５と、回動板２２，２４と弾性薄板３を連結する布２６，２７とからなっている。【選択図】  図１
2007295981.tif 000002
【特許請求の範囲】
【請求項１】
空気袋と、
この空気袋の外側に設けられ、開口部を有する環状形態の弾性薄板と、
この弾性薄板の前記開口部を開閉させるための操作手段とを備えた血圧計用腕帯であって、
前記操作手段が、所定量操作されるまでは前記開口部が開かないようにする遊びを有することを特徴とする血圧計用腕帯。
【請求項２】
前記操作手段が、
前記弾性薄板の周方向中央部付近を回動中心として、開方向及び閉方向に回動する一つ又は二つの回動部材と、
前記回動部材に設けられた撮みと、
前記弾性薄板の周方向に離れた二箇所に引っ張りポイントを設け、このうち少なくとも一つの引っ張りポイントと前記回動部材の少なくとも一つの回動部材とを、所定の距離だけ自由となる状態で連結する連結部材と
を備えたことを特徴とする請求項１に記載の血圧計用腕帯。
【請求項３】
前記操作手段が、
前記弾性薄板の周方向に離れた二箇所に引っ張りポイントを設け、このうち少なくとも一つの引っ張りポイントと一方の端部が直接的に連結され、他方の端部が前記弾性薄板の周方向中央部付近を押下する一つ又は二つの拡開部材と、
前記拡開部材に設けられた撮みと
を備えたことを特徴とする請求項１に記載の血圧計用腕帯。
【請求項４】
前記操作手段が、
前記弾性薄板の周方向中央部付近上方を回動中心として、開方向及び閉方向に回動自在に連結された一対の挟み部材と、
前記弾性薄板の周方向に離れた二箇所に引っ張りポイントを設け、このうち少なくとも一つの引っ張りポイントと前記挟み部材の少なくとも一つの挟み部の端部とを、所定の距離だけ自由となる状態で連結する連結部材と
を備えたことを特徴とする請求項１に記載の血圧計用腕帯。
【請求項５】
前記操作手段が、
各端部が前記弾性薄板の周方向に離れて設けられた二箇所の引っ張りポイントと直接的に連結された一対の挟み部材を有することを特徴とする請求項１に記載の血圧計用腕帯。
【請求項６】
前記連結部材を、布、シート、帯状体及び／又は紐としたことを特徴とする請求項２又は４に記載の血圧計用腕帯。
【請求項７】
前記連結部材を、前記弾性薄板の前記引っ張りポイントに設けられた連結軸及び前記回動部材の端部の少なくとも一方が移動自在に係入された長円状の環状体としたことを特徴とする請求項２に記載の血圧計用腕帯。
【請求項８】
前記操作手段が、二つの前記拡開部材、及び、前記拡開部材を所定の状態に規制する状態規制部材を有し、かつ、前記状態規制部材が、前記二つの拡開部材の周方向中央部側端部どうしを所定の距離だけ自由となる状態で連結する、布、シート、帯状体及び／又は紐からなることを特徴とする請求項３に記載の血圧計用腕帯。
【請求項９】
前記操作手段が、一つの前記拡開部材、及び、前記拡開部材を所定の状態に規制する状態規制部材を有し、かつ、前記状態規制部材が、前記一つの拡開部材の周方向中央部側端部と前記弾性薄板の周方向中央部を所定の距離だけ自由となる状態で連結する、布、シート、帯状体及び／又は紐からなることを特徴とする請求項３に記載の血圧計用腕帯。
【請求項１０】
前記操作手段が、二つの前記拡開部材、及び、前記拡開部材を所定の状態に規制する状態規制部材を有し、かつ、前記状態規制部材を、前記二つの拡開部材の周方向中央部側端部の少なくとも一方が移動自在に係入された長円状の環状体としたことを特徴とする請求項３に記載の血圧計用腕帯。
【請求項１１】
前記操作手段が、一つの前記拡開部材、及び、前記拡開部材を所定の状態に規制する状態規制部材を有し、かつ、前記状態規制部材を、前記弾性薄板の周方向中央部に設けられた連結軸及び前記一つの拡開部材の周方向中央部側端部の少なくとも一方が移動自在に係入された長円状の環状体としたことを特徴とする請求項３に記載の血圧計用腕帯。
【請求項１２】
前記操作手段が、前記拡開部材を所定の状態に規制する状態規制部材を有し、前記状態規制部材を、前記拡開部材を前記所定の状態内に留めるストッパーとしたことを特徴とする請求項３に記載の血圧計用腕帯。
【請求項１３】
前記操作手段が、前記一対の挟み部材を所定の距離だけ自由となる状態で連結する連結部材を有し、前記連結部材を、布、シート、帯状体及び／又は紐としたことを特徴とする請求項５に記載の血圧計用腕帯。
【請求項１４】
空気袋と、
この空気袋の外側に設けられ、開口部を有する環状形態の弾性薄板と、
この弾性薄板の前記開口部を開閉させるための操作手段とを備えた血圧計用腕帯であって、
前記操作手段が、
前記弾性薄板の周方向に離れた二箇所に引っ張りポイントを設け、このうち少なくとも一つの引っ張りポイントと一方の端部が直接的に連結され、他方の端部が前記弾性薄板の周方向中央部付近を押下する一つ又は二つの拡開部材と、
前記拡開部材に設けられた撮みと
を備えたことを特徴とする血圧計用腕帯。
【発明の詳細な説明】
【技術分野】
【０００１】
本発明は、血圧計用腕帯に関し、特に、操作手段によって、血圧計用腕帯を腕に容易に着脱することができ、かつ、腕に巻き付けられた弾性薄板が、腕形状に応じて自在にねじれたり曲ることができるので、フィット性が向上するとともに、血圧を精度よく測定することができる血圧計用腕帯に関する。
【背景技術】
【０００２】
近年、血圧計は、病院等に限らず、健康管理を目的として、一般家庭にも広く普及してきた。これら一般家庭用の血圧計は、通常、血圧を自動的に測定し表示する測定部と、空気袋等を有する血圧計用腕帯とからなっている。上記測定部によって、短時間でかつ容易に、血圧を測定することが可能となった。ただし、血圧計の使用者にとっては、血圧計用腕帯を腕に巻き付けたり、腕から取り外す作業が、最もおっくうな作業となっていた。
このため、上記のおっくうな作業を改善し、一人で容易に測定できるように、様々な技術が開発されてきた。
【０００３】
（従来例）
たとえば、特許文献１には、取付本体と、この取付本体の両側部にそれぞれ配備され、各々一定角度を持って取付本体より外方へ突出する操作撮み片部を備えた弯曲状のカバー体と、一端が一方のカバー体の内面に止着され他端が他方のカバー体の内面に止着された空気袋付きカーラーと、一端が一方のカバー体の外面に止着され、他端が他方のカバー体の外面に脱着可能に係止する固定用帯体とを備えた血圧計用腕帯の技術が開示されている。この血圧計用腕帯は、操作撮み片部を内方向に強圧すると、カバー体が外方向に開くとともにカーラーの開口部が開き、操作撮み片部を開放すると、カバー体がカーラー（弾性薄板）のばね力で元の形状に復帰する。
上記従来技術によれば、腕の太さに応じて両カバーが拡縮し、装着作業を容易に行うことができ、かつ、空気袋の密着度合いが良好な血圧計用腕帯を提供することができる。
【特許文献１】特開平７−１２４１２７号公報
【発明の開示】
【発明が解決しようとする課題】
【０００４】
しかしながら、上記従来例の血圧計用腕帯は、カーラーの両端がカバー体に止着されているため、腕軸方向に傾斜の大きい腕（たとえば、肩から肘にかけての太さの変化の大きい腕）などに装着した際、腕の形状に合うように、カーラーがねじれようとするが、カバー体に止着されているために、カーラーがねじれることができず、フィット性が悪く、血圧を精度よく測定することができない場合があるといった問題があった。
さらに、開口部を開ける際は、操作撮み片部を内方向に強圧するが、カーラーの両端である二点を引っ張るだけであるため、弱い力では容易に開けることができないといった問題があった。
【０００５】
本発明は、以上のような従来の技術が有する問題を解決するために提案されたものであり、フィット性が向上するとともに、血圧を精度よく測定することができ、さらに、小さな力で効率よく血圧計用腕帯を拡開することができる血圧計用腕帯の提供を目的とする。
【課題を解決するための手段】
【０００６】
上記目的を達成するため、本発明の血圧計用腕帯は、空気袋と、この空気袋の外側に設けられ、開口部を有する環状形態の弾性薄板と、この弾性薄板の前記開口部を開閉させるための操作手段とを備えた血圧計用腕帯であって、前記操作手段が、所定量操作されるまでは前記開口部が開かないようにする遊びを有する構成としてある。
このようにすると、フィット性が向上するとともに、血圧を精度よく測定することができる。
なお、「操作手段が、所定量操作されるまでは開口部が開かないようにする遊びを有する」とは、血圧計用腕帯が腕に巻き付けられた際、操作手段が、弾性薄板の腕形状に応じた変形を妨げることなく、前記変形を所定量許容するこという。
【０００７】
また、好ましくは、前記操作手段が、前記弾性薄板の周方向中央部付近を回動中心として、開方向及び閉方向に回動する一つ又は二つの回動部材と、前記回動部材に設けられた撮みと、前記弾性薄板の周方向に離れた二箇所に引っ張りポイントを設け、このうち少なくとも一つの引っ張りポイントと前記回動部材の少なくとも一つの回動部材とを、所定の距離だけ自由となる状態で連結する連結部材とを備えるとよい。
このようにすると、操作手段によって、血圧計用腕帯を腕に容易に着脱することができ、かつ、巻き付けられた弾性薄板が、腕形状に応じて自在にねじれたり曲ったりすることができるので、フィット性が向上するとともに、血圧を精度よく測定することができる。
【０００８】
また、好ましくは、前記操作手段が、前記弾性薄板の周方向に離れた二箇所に引っ張りポイントを設け、このうち少なくとも一つの引っ張りポイントと一方の端部が直接的に連結され、他方の端部が前記弾性薄板の周方向中央部付近を押下する一つ又は二つの拡開部材と、前記拡開部材に設けられた撮みとを備えるとよい。
このようにしても、血圧計用腕帯を腕に容易に着脱することができ、かつ、フィット性が向上するとともに、血圧を精度よく測定することができる。
【０００９】
また、好ましくは、前記操作手段が、前記弾性薄板の周方向中央部付近上方を回動中心として、開方向及び閉方向に回動自在に連結された一対の挟み部材と、前記弾性薄板の周方向に離れた二箇所に引っ張りポイントを設け、このうち少なくとも一つの引っ張りポイントと前記挟み部材の少なくとも一つの挟み部の端部とを、所定の距離だけ自由となる状態で連結する連結部材とを備えるとよい。
このようにすると、血圧計用腕帯を腕に容易に着脱することができ、かつ、巻き付けられた弾性薄板が、腕形状に応じて自在にねじれたり曲ることができるので、フィット性が向上するとともに、血圧を精度よく測定することができる。
【００１０】
また、好ましくは、前記操作手段が、各端部が前記弾性薄板の周方向に離れて設けられた二箇所の引っ張りポイントと直接的に連結された一対の挟み部材を有するとよい。
このようにしても、血圧計用腕帯を腕に容易に着脱することができ、かつ、巻き付けられた弾性薄板が、腕形状に応じて自在にねじれたり曲ることができるので、フィット性が向上するとともに、血圧を精度よく測定することができる。
【００１１】
また、好ましくは、前記連結部材を、布、シート、帯状体及び／又は紐とするとよい。
このようにすると、構造を単純化することができ、製造原価のコストダウンを図ることができる。
【００１２】
また、好ましくは、前記連結部材を、前記弾性薄板の前記引っ張りポイントに設けられた連結軸及び前記回動部材の端部の少なくとも一方が移動自在に係入された長円状の環状体とするとよい。
このようにしても、引っ張りポイントと回動部材とを所定の距離だけ自由となる状態で連結することができる。
【００１３】
また、好ましくは、前記操作手段が、二つの前記拡開部材、及び、前記拡開部材を所定の状態に規制する状態規制部材を有し、かつ、前記状態規制部材を、前記二つの拡開部材の周方向中央部側端部どうしを所定の距離だけ自由となる状態で連結する、布、シート、帯状体及び／又は紐とするとよい。
このようにすると、二つの拡開部材の周方向中央部側端部の一方が、他方から所定の距離の範囲に留まるので、二つの拡開部材を、所定の状態内に留めることができる。さらに、構造が単純化されているので、製造原価のコストダウンを図ることができる。
【００１４】
また、好ましくは、前記操作手段が、一つの前記拡開部材、及び、前記拡開部材を所定の状態に規制する状態規制部材を有し、かつ、前記状態規制部材を、前記一つの拡開部材の周方向中央部側端部と前記弾性薄板の周方向中央部を所定の距離だけ自由となる状態で連結する、布、シート、帯状体及び／又は紐とするとよい。
このようにすると、一つの拡開部材の周方向中央部側端部が、弾性薄板の周方向中央部から所定の距離の範囲に留まるので、一つの拡開部材を、所定の状態内に留めることができる。さらに、構造が単純化されているので、製造原価のコストダウンを図ることができる。
【００１５】
また、好ましくは、前記操作手段が、二つの前記拡開部材、及び、前記拡開部材を所定の状態に規制する状態規制部材を有し、かつ、前記状態規制部材を、前記二つの拡開部材の周方向中央部側端部の少なくとも一方が移動自在に係入された長円状の環状体とするとよい。
このようにしても、二つの拡開部材の周方向中央部側端部の一方が、他方から所定の距離の範囲に留まるので、二つの拡開部材を、所定の状態内に留めることができる。
【００１６】
また、好ましくは、前記操作手段が、一つの前記拡開部材、及び、前記拡開部材を所定の状態に規制する状態規制部材を有し、かつ、前記状態規制部材を、前記弾性薄板の周方向中央部に設けられた連結軸及び前記一つの拡開部材の周方向中央部側端部の少なくとも一方が移動自在に係入された長円状の環状体とするとよい。
このようにしても、一つの拡開部材の周方向中央部側端部が、弾性薄板の周方向中央部から所定の距離の範囲に留まるので、一つの拡開部材を、所定の状態内に留めることができる。
【００１７】
また、好ましくは、前記操作手段が、前記拡開部材を所定の状態に規制する状態規制部材を有し、前記状態規制部材を、前記拡開部材を前記所定の状態内に留めるストッパーとするとよい。
このようにしても、拡開部材を、所定の状態内に留めることができる。
【００１８】
また、好ましくは、前記操作手段が、前記一対の挟み部材を所定の距離だけ自由となる状態で連結する連結部材を有し、前記連結部材を、布、シート、帯状体及び／又は紐とするとよい。
このようにすると、動作の信頼性を高めるとともに、構造が単純化されているので、製造原価のコストダウンを図ることができる。
【００１９】
また、上記目的を達成するため、本発明の血圧計用腕帯は、空気袋と、この空気袋の外側に設けられ、開口部を有する環状形態の弾性薄板と、この弾性薄板の前記開口部を開閉させるための操作手段とを備えた血圧計用腕帯であって、前記操作手段が、前記弾性薄板の周方向に離れた二箇所に引っ張りポイントを設け、このうち少なくとも一つの引っ張りポイントと一方の端部が直接的に連結され、他方の端部が前記弾性薄板の周方向中央部付近を押下する一つ又は二つの拡開部材と、前記拡開部材に設けられた撮みとを備えた構成としてある。
このようにすると、血圧計用腕帯を拡開する際、環状の弾性薄板の周方向に離れた二箇所の引っ張りポイントが開方向に引っ張られるとともに、周方向中央部付近が押下されるので、小さな力で効率よく血圧計用腕帯を拡開することができる。
【発明の効果】
【００２０】
本発明の血圧計用腕帯によれば、操作手段によって、血圧計用腕帯を腕に容易に着脱することができ、かつ、巻き付けられた弾性薄板が、腕形状に応じて自在にねじれたり曲ることができるので、フィット性が向上するとともに、血圧を精度よく測定することができる。また、血圧計用腕帯を拡開する際、環状の弾性薄板の周方向に離れた二箇所の引っ張りポイントが開方向に引っ張られるとともに、周方向中央部付近が押下されるので、小さな力で効率よく血圧計用腕帯を拡開することができる。
【発明を実施するための最良の形態】
【００２１】
［第一実施形態］
以下、本発明の血圧計用腕帯の第一実施形態について、図面を参照して説明する。
図１は、本発明の血圧計用腕帯の第一実施形態の概略斜視図を示している。
同図において、血圧計用腕帯１は、空気袋１１と、この空気袋１１の外側に設けられ、空気袋１１の環状形態を保持するための弾性薄板３と、この弾性薄板３の周方向端部を固定する固定手段としての固定ベルト３１と、腕（図示せず）を着脱する際、弾性薄板３及び空気袋１１を拡開する操作手段２を備えている。
【００２２】
＜弾性薄板＞
弾性薄板３は、樹脂製の矩形シートを周方向の両端部が重なるように、すなわち、腕軸方向と平行な開口部を有するように、形成されたほぼ円筒状としてある。また、弾性薄板３は、通常、約１ｍｍから数ｍｍの厚さを有しており、両端部が拡開されると、円筒形状を保持するように復元力が作用し、空気袋１１の環状形態を保持する。
また、弾性薄板３は、内側に空気袋１１が部分的に貼り付けられており、空気袋１１が貼り付けられた状態でも、腕形状に応じてねじれなどの変形可能な可撓性を有している。
【００２３】
さらに、弾性薄板３は、周方向の一方の端部に面ファスナー３２の設けられた固定ベルト３１が連結されており、周方向の他方の端部外面に設けられた面ファスナー（図示せず）と当接すると、周方向の一方の端部が他方の端部に固定される。
また、弾性薄板３は、周方向に離れた二箇所（本実施形態では、周方向中央部に対して約１３０°開いた位置（図２（ａ）参照））を引っ張りポイント２６１，２７１としてある。本実施形態では、引っ張りポイント２６１，２７１は、腕軸方向に伸びた直線ラインとしてある。
なお、引っ張りポイント２６１，２７１は、腕軸方向に伸びた直線ラインに限定されるものではなく、たとえば、曲線ラインやライン上の複数箇所を引っ張りポイントとしてもよい。また、空気袋１１は、腕方向にパイプ（図示せず）が突設されており、血圧を測定する際には、パイプを介して空気が送圧される。
【００２４】
＜操作手段＞
操作手段２は、二つの回動板２２，２４と、この回動板２２，２４を回動自在に連結するヒンジ２１と、回動板２２，２４にそれぞれ突設された撮み２３，２５と、回動板２２，２４と弾性薄板３を連結する布２６，２７とからなっている。
回動板２２，２４は、弾性薄板３の半径より小さな曲率半径を有する湾曲した矩形板としてあり、周方向中央部側の端部が、ヒンジ２１と連結されている。このヒンジ２１は、弾性薄板３と連結されておらず、弾性薄板３の周方向中央部付近に、微小距離だけ移動自在に設けられている。これにより、回動板２２，２４は、弾性薄板３の周方向中央部付近を回動中心として、開方向及び閉方向に回動する。上記回動板２２，２４は、厚さが約２ｍｍから数ｍｍの硬質の樹脂からなる剛体としてあり、各回動板２２，２４のほぼ中央に、腕軸方向に延びた撮み２３，２５がそれぞれ突設されている。この撮み２３，２５は、血圧計用腕帯１を拡開する際に指で撮まれ、回動板２２，２４を開方向に回動させるためのものである。
【００２５】
また、回動板２２，２４は、弾性薄板３の引っ張りポイント２７１，２６１にそれぞれ対応する回動板２２の端部２２１及び回動板２４の端部２４１が、布２７及び布２６を介して、引っ張りポイント２７１，２６１と連結されている。ここで、適度な幅（周方向長さ）の布２７及び布２６を介して連結することによって、回動板２２の端部２２１と引っ張りポイント２７１、及び、回動板２４の端部２４１と引っ張りポイント２６１が、それぞれ所定の距離だけ自由となる状態で連結される。これにより、弾性薄板３は、引っ張りポイント２７１，２６１が剛体である端部２２１，２４１と直接的に連結されていないので、腕形状に応じて自在にねじれたり曲ったりすることが可能となり、フィット性を向上させることができるとともに、血圧を精度よく測定することができる。
なお、本実施形態では、連結部材として、布２７，２６を使用したが、これに限定されるものではなく、たとえば、可撓性を有するシート、帯状体及び／又は紐などを使用することができる。このようにしても、構造を単純化することができ、製造原価のコストダウンを図ることができる。
【００２６】
次に、上記構成の血圧計用腕帯１の使用方法及び動作について、図面を参照して説明する。
図２は、本発明の血圧計用腕帯の第一実施形態の動作を説明するための要部の概略図であり、（ａ）は閉じた状態の腕軸方向断面図を、（ｂ）は拡開された状態の腕軸方向断面図を示している。
まず、閉じた状態の血圧計用腕帯１は、同図（ａ）に示すように、弾性薄板３がほぼ円筒形状であり、操作手段２が布２７，２６によって弾性薄板３につながれた状態である。
【００２７】
次に、使用者は、血圧計用腕帯１を腕に装着する際、同図（ｂ）に示すように、片方の手で撮み２３，２５を開方向（内方向）に移動させる。血圧計用腕帯１は、撮み２３，２５が開方向（内方向）に移動されると、回動板２２及び回動板２４が、時計回り方向及び反時計回り方向に回動し、端部２２１及び端部２４１が上方に移動し、布２７及び布２６を介して連結された弾性薄板３の引っ張りポイント２７１及び引っ張りポイント２６１が上方に引っ張られ、さらに、ヒンジ２１が弾性薄板３の周方向中央部付近を下方に押下する。すなわち、血圧計用腕帯１は、ヒンジ２１が弾性薄板３の周方向中央部付近を下方に押下し、かつ、両側の引っ張りポイント２７１及び引っ張りポイント２６１を上方に引っ張るので、撮み２３，２５に加えた力を、効率よく弾性薄板３を拡開させる力として利用することができ、小さな力で弾性薄板３の周方向両端が拡開される。
続いて、使用者は、弾性薄板３の周方向両端が拡開方向に開いたところで、もう片方の腕に血圧計用腕帯１を上方から容易に装着することができる。
【００２８】
次に、使用者が撮み２３，２５を開放すると、弾性薄板３の復元力によって弾性薄板３が縮径する。この際、弾性薄板３は、引っ張りポイント２７１及び引っ張りポイント２６１が、剛体である回動板２２及び回動板２４と直接的に連結されていないので、腕形状に応じて自在にねじれたり曲るなどして腕に良好に巻き付けられる。これにより、血圧計用腕帯１は、腕へのフィット性が向上するとともに、ほぼ均一に腕を圧迫することができるので、精度よく血圧を測定することができる。
続いて、使用者が、測定に必要な適度な圧迫感を感じたところで、面ファスナー３２どうしを当接させてベルト３１を固定すると、空気袋１１に空気が送入され、血圧が測定される。
なお、血圧計用腕帯１を外す際は、上記動作を戻ることにより、容易に血圧計用腕帯１を外すことができる。
【００２９】
このように、本実施形態の血圧計用腕帯１は、操作手段２によって、血圧計用腕帯１を腕に容易に着脱することができ、かつ、巻き付けられた弾性薄板３が、腕形状に応じて自在にねじれることができるので、フィット性が向上するとともに、血圧を精度よく測定することができる。また、血圧計用腕帯１を拡開する際、環状の弾性薄板３の周方向に離れた二箇所の引っ張りポイント２７１，２６１が開方向に引っ張られるとともに、ヒンジ２１によって周方向中央部付近が押下されるので、小さな力で効率よく血圧計用腕帯１を拡開することができる。さらに、連結部材として、布２７，２６を使用しているので、構造を単純化することができ、製造原価のコストダウンを図ることができる。
また、本実施形態は、様々な応用例を有しており、次に、これら応用例の一部を、図面を参照して説明する。
【００３０】
（第一応用例）
図３は、本発明の血圧計用腕帯の第一実施形態にかかる応用例を説明するための要部の概略図であり、（ａ）は第一応用例の腕軸方向断面図を、（ｂ）は第二応用例の腕軸方向断面図を示している。
同図（ａ）において、血圧計用腕帯１ａは、第一実施形態と比較して、操作手段２ａが、回動板２２、ヒンジ２１及び回動板２４を有する代わりに、回動板２２ａ及び保持板２４ａを有する点が相違する。
したがって、図３（ａ）において、図１，２と同様の構成部分については同一の符号を付して、その詳細な説明を省略する。
【００３１】
回動板２２ａは、回動板２２とほぼ同様な構造としてあるが、周方向中央部側の端部２２２が、弾性薄板３の周方向中央部に直接的に連結されている。この連結は、溶着、接着又は縫付けなどによって行われている。回動板２２ａは、弾性変形する弾性薄板３の周方向中央部を回動中心として回動する。
また、保持板２４ａは、回動板２４とほぼ同様な構造としてあるが、周方向の両端部が、引っ張りポイント２６１ａ及び周方向中央部にそれぞれ直接的に連結されている。したがって、弾性薄板３の周方向中央部と引っ張りポイント２６１ａは、平行状態が維持されねじれることができないので、この分、血圧計用腕帯１と比べると、腕へのフィット性が低下する。
なお、その他の構造は、上記血圧計用腕帯１とほぼ同様としてある。
【００３２】
上記構成の血圧計用腕帯１ａによれば、図示してないが、操作手段２ａによって、血圧計用腕帯１ａを腕に容易に着脱することができ、かつ、巻き付けられた弾性薄板３が、腕形状に応じて自在に（弾性薄板３の周方向中央部と引っ張りポイント２６１ａに挟まれた範囲を除いた範囲で自在に）ねじれたり曲ることができるので、フィット性が向上するとともに、血圧を精度よく測定することができる。また、血圧計用腕帯１ａを拡開する際、環状の弾性薄板３の周方向に離れた二箇所の引っ張りポイント２７１，２６１ａが開方向に引っ張られるとともに、回動板２２ａ及び保持板２４ａの中央部側端部によって周方向中央部付近が押下されるので、小さな力で効率よく血圧計用腕帯１ａを拡開することができる。
【００３３】
（第二応用例）
同図（ｂ）において、血圧計用腕帯１ｂは、第一応用例と比較して、操作手段２ｂが、回動板２２ａ及び保持板２４ａを有する代わりに、回動板２２ａ及び撮み２５ｂを有する点が相違する。すなわち、撮み２５ｂは、引っ張りポイント２６１ａより周方向中央部側に位置する引っ張りポイント２６１ｂに直接的に突設されている。この突設は、一体成形、溶着又は接着などによって行われている。撮み２５ｂは、開方向に撮まれると、周方向中央部と引っ張りポイント２６１ｂに挟まれた弾性薄板３とともに、周方向中央部を回動中心として回動する。
したがって、図３（ｂ）において、図３（ａ）と同様の構成部分については同一の符号を付して、その詳細な説明を省略する。
なお、その他の構造は、上記血圧計用腕帯１ａとほぼ同様としてある。
【００３４】
上記構成の血圧計用腕帯１ｂによれば、図示してないが、操作手段２ｂによって、血圧計用腕帯１ｂを腕に容易に着脱することができ、かつ、巻き付けられた弾性薄板３が、腕形状に応じて自在にねじれたり曲ることができるので、フィット性が向上するとともに、血圧を精度よく測定することができる。また、血圧計用腕帯１ｂを拡開する際、環状の弾性薄板３の周方向に離れた二箇所の引っ張りポイント２７１，２６１ｂが開方向に引っ張られるとともに、回動板２２ａの中央部側端部によって周方向中央部付近が押下されるので、小さな力で効率よく血圧計用腕帯１ｂを拡開することができる。
【００３５】
［第二実施形態］
以下、本発明の血圧計用腕帯の第二実施形態について、図面を参照して説明する。
図４は、本発明の血圧計用腕帯の第二実施形態の概略斜視図を示している。
また、図５は、本発明の血圧計用腕帯の第二実施形態の動作を説明するための要部の概略図であり、（ａ）は閉じた状態の腕軸方向断面図を、（ｂ）は拡開された状態の腕軸方向断面図を示している。
図４，５において、血圧計用腕帯１ｃは、第一実施形態と比較して、操作手段２ｃが、布２６，２７を有する代わりに、環状体２６ｃ，２７ｃを有する点が相違する。
したがって、図４，５において、図１，２と同様の構成部分については同一の符号を付して、その詳細な説明を省略する。
【００３６】
環状体２６ｃ，２７ｃは、断面が長円状の腕軸方向に細長い形状としてあり、通常、樹脂製のシートを折り曲げ、繋ぎ目を溶着あるいは接着などすることによって製造される。また、回動板２２及び回動板２４は、周方向中央部と反対側の端部に、それぞれ開口部２４２が形成されており、ほぼ角棒状の端部が、環状体２６ｃ，２７ｃに係入されている。さらに、弾性薄板３は、引っ張りポイント２６１，２７１に対応する位置に、連結軸２６２，２７２が設けられており、この連結軸２６２，２７２が、環状体２６ｃ，２７ｃに係入されている。すなわち、環状体２６ｃ，２７ｃは、弾性薄板３の引っ張りポイント２６１，２７１と回動板２４，２２とを、所定の距離だけ自由となる状態で連結する。
なお、本実施形態では、環状体２６ｃ，２７ｃを細長い中空の平板状としてあるが、これに限定されるものではなく、たとえば、チェーンのような環状体を複数個用いて、引っ張りポイント２６１，２７１と回動板２４，２２とを連結してもよい。さらに、チェーンのような環状体を用いる場合には、連結軸２６２，２７２に限定されるものではなく、たとえば、弾性薄板３に接近させて穿設した一対の孔にチェーンのような環状体を係止してもよい。
また、その他の構成、使用方法及び動作は、ほぼ第一実施形態の血圧計用腕帯１と同様としてある。
【００３７】
このように、本実施形態の血圧計用腕帯１ｃは、操作手段２ｃによって、血圧計用腕帯１ｃを腕に容易に着脱することができ、かつ、巻き付けられた弾性薄板３が、腕形状に応じて自在にねじれたり曲ることができるので、フィット性が向上するとともに、血圧を精度よく測定することができる。また、血圧計用腕帯１ｃを拡開する際、環状の弾性薄板３の周方向に離れた二箇所の引っ張りポイント２７１，２６１が開方向に引っ張られるとともに、ヒンジ２１によって周方向中央部付近が押下されるので、小さな力で効率よく血圧計用腕帯１ｃを拡開することができる。
また、本実施形態は、様々な応用例を有しており、次に、これら応用例の一部を、図面を参照して説明する。
【００３８】
（第三応用例）
図６は、本発明の血圧計用腕帯の第二実施形態にかかる第三応用例を説明するための要部の概略腕軸方向断面図を示している。
同図において、血圧計用腕帯１ｄは、第一応用例と比較して、操作手段２ｄが、連結部材としての布２７の代わりに環状体２７ｃを用い、回動板２２ａ及び保持板２４ａの周方向中央部側の端部どうしがヒンジ２１と連結された点が相違する。
したがって、図６において、図３（ａ）と同様の構成部分については同一の符号を付して、その詳細な説明を省略する。
【００３９】
回動板２２ａは、引っ張りポイント２７１に対応する側の端部２２１が、環状体２７ｃに係入され、かつ、引っ張りポイント２７１に設けられた連結軸２７２が、環状体２７ｃに係入されている。
また、回動板２２ａ及び保持板２４ａの中央側端部は、ヒンジ２１を介して回動自在に連結され、さらに、保持板２４ａは、引っ張りポイント２６１ａ側の端部が、引っ張りポイント２６１ａと直接的に連結されている。したがって、弾性薄板３の引っ張りポイント２６１ａは、直線状態が維持され曲ることができないので、この分、たとえば、血圧計用腕帯１ｃと比べると、腕へのフィット性が低下する。
なお、その他の構造、使用方法及び動作は、上記血圧計用腕帯１ａとほぼ同様としてある。
【００４０】
上記構成の血圧計用腕帯１ｄによれば、図示してないが、操作手段２ｄによって、血圧計用腕帯１ｄを腕に容易に着脱することができ、かつ、巻き付けられた弾性薄板３が、腕形状に応じて自在に（引っ張りポイント２６１ａにおける曲げによる変形を除いた範囲で自在に）ねじれたり曲ることができるので、フィット性が向上するとともに、血圧を精度よく測定することができる。また、血圧計用腕帯１ｄを拡開する際、環状の弾性薄板３の周方向に離れた二箇所の引っ張りポイント２７１，２６１ａが開方向に引っ張られるとともに、ヒンジ２１によって周方向中央部付近が押下されるので、小さな力で効率よく血圧計用腕帯１ｄを拡開することができる。
なお、図示してないが、血圧計用腕帯１ａ，１ｂは、連結部材として布２７を用い、血圧計用腕帯１ｄは、環状体２７ｃを用いているが、血圧計用腕帯１ａ，１ｂが、連結部材として環状体２７ｃを用い、血圧計用腕帯１ｄが、布２７を用いる構成としてもよい。
【００４１】
［第三実施形態］
以下、本発明の血圧計用腕帯の第三実施形態について、図面を参照して説明する。
図７は、本発明の血圧計用腕帯の第三実施形態にかかる要部の概略図であり、（ａ）は閉じた状態の腕軸方向断面図を、（ｂ）は拡開された状態の腕軸方向断面図を示している。
同図において、血圧計用腕帯１ｅは、第一実施形態と比較して、操作手段２ｅが、布２７、回動板２２、ヒンジ２１、回動板２４及び布２６を有する代わりに、一端が弾性薄板３と直接的に連結された拡開板２２ｅ、拡開板２２ｅと拡開板２４ｅを所定の距離だけ自由となる状態で連結する布２８、及び、一端が弾性薄板３と直接的に連結された拡開板２４ｅを有する点が相違する。
したがって、図７において、図１，２と同様の構成部分については同一の符号を付して、その詳細な説明を省略する。
【００４２】
拡開板２２ｅは、周方向中央部と反対側の端部２２１が、弾性薄板３の引っ張りポイント２７１と直接的に連結されており、かつ、周方向中央部側の端部が布２８と連結されている。また、拡開板２４ｅは、周方向中央部側の端部が布２８と連結されており、かつ、周方向中央部と反対側の端部２４１が、弾性薄板３の引っ張りポイント２６１と直接的に連結されている。ここで、布２８は、拡開板２２ｅ及び拡開板２４ｅの周方向中央部側端部どうしを所定の距離だけ自由となる状態で連結している。これにより、たとえば、拡開板２２ｅが約９０°を超えて外方向に回動するといった不具合、すなわち、撮み２３，２５を片手で撮めない状態となり、操作性が低下するといった不具合を回避でき、布２８は、拡開板２２ｅを所定の状態に規制する状態規制部材として機能する。
なお、所定の状態とは、撮み２３，２５を片手で撮め、かつ、血圧計用腕帯１ｅが腕に巻き付けられた際、操作手段２ｅが、弾性薄板３の腕形状に応じた変形を妨げることなく、前記変形を所定量許容する状態をいう。また、その他の構成は、ほぼ血圧計用腕帯１と同様としてある。
【００４３】
次に、上記構成の血圧計用腕帯１ｅの使用方法及び動作について説明する。
まず、閉じた状態の血圧計用腕帯１ｅは、同図（ａ）に示すように、弾性薄板３がほぼ円筒形状であり、操作手段２ｅの拡開板２２ｅ及び拡開板２４ｅの一端が弾性薄板３と直接的に連結されている。
【００４４】
次に、使用者は、血圧計用腕帯１ｅを腕に装着する際、同図（ｂ）に示すように、片方の手で撮み２３，２５を開方向（内方向）に移動させる。血圧計用腕帯１ｅは、撮み２３，２５が開方向（内方向）に移動されると、拡開板２２ｅ及び拡開板２４ｅが、時計回り方向及び反時計回り方向にそれぞれ回動し、端部２２１及び端部２４１が上方に移動し、直接的に連結された弾性薄板３の引っ張りポイント２７１及び引っ張りポイント２６１が上方に引っ張られ、さらに、拡開板２２ｅ及び拡開板２４ｅの中央側端部が弾性薄板３の周方向中央部付近を下方に押下する。すなわち、血圧計用腕帯１ｅは、拡開板２２ｅ及び拡開板２４ｅの中央側端部が弾性薄板３の周方向中央部付近を下方に押下し、かつ、両側の引っ張りポイント２７１及び引っ張りポイント２６１を上方に引っ張るので、撮み２３，２５に加えた力を、効率よく弾性薄板３を拡開させる力として利用することができ、小さな力で弾性薄板３の周方向両端が拡開される。
続いて、使用者は、弾性薄板３の周方向両端が拡開方向に開いたところで、もう片方の腕に血圧計用腕帯１ｅを上方から容易に装着することができる。
【００４５】
次に、使用者が撮み２３，２５を開放すると、弾性薄板３の復元力によって弾性薄板３が縮径する。この際、弾性薄板３は、腕形状に応じて自在に（引っ張りポイント２６１，２７１における曲げによる変形を除いた範囲で自在に）ねじれたり曲るなどして腕に良好に巻き付けられる。これにより、血圧計用腕帯１ｅは、腕へのフィット性が向上するとともに、ほぼ均一に腕を圧迫することができるので、精度よく血圧を測定することができる。
続いて、使用者が、測定に必要な適度な圧迫感を感じたところで、面ファスナー３２どうしを当接させてベルト３１を固定すると、空気袋１１に空気が送入され、血圧が測定される。
なお、血圧計用腕帯１ｅを外す際は、上記動作を戻ることにより、容易に血圧計用腕帯１ｅを外すことができる。
【００４６】
このように、本実施形態の血圧計用腕帯１ｅは、操作手段２ｅによって、血圧計用腕帯１ｅを腕に容易に着脱することができ、かつ、巻き付けられた弾性薄板３が、腕形状に応じてほぼ自在にねじれたり曲ることができるので、フィット性が向上するとともに、血圧を精度よく測定することができる。また、血圧計用腕帯１ｅを拡開する際、環状の弾性薄板３の周方向に離れた二箇所の引っ張りポイント２７１，２６１が開方向に引っ張られるとともに、拡開板２２ｅ，２４ｅの中央部側端部によって周方向中央部付近が押下されるので、小さな力で効率よく血圧計用腕帯１ｅを拡開することができる。さらに、状態規制部材として、布２８を使用しているので、構造を単純化することができ、製造原価のコストダウンを図ることができる。
【００４７】
［第四実施形態］
以下、本発明の血圧計用腕帯の第四実施形態について、図面を参照して説明する。
図８は、本発明の血圧計用腕帯の第四実施形態にかかる要部の概略図であり、（ａ）は閉じた状態の腕軸方向断面図を、（ｂ）は拡開された状態の腕軸方向断面図を示している。
同図において、血圧計用腕帯１ｆは、第三実施形態と比較して、操作手段２ｆが、布２８を有する代わりに、環状体２８ｆを有する点が相違する。
したがって、図８において、図７と同様の構成部分については同一の符号を付して、その詳細な説明を省略する。
【００４８】
環状体２８ｆは、断面が長円状の腕軸方向に細長い形状としてある。また、拡開板２２ｅ及び拡開板２４ｅは、周方向中央部側の端部に、それぞれ開口部が形成されており、ほぼ角棒状の端部２２２ｆ，２４２ｆが、環状体２８ｆに係入されている。さらに、拡開板２２ｅは、周方向中央部と反対側の端部２２１が、弾性薄板３の引っ張りポイント２７１と直接的に連結されており、また、拡開板２４ｅは、周方向中央部と反対側の端部２４１が、弾性薄板３の引っ張りポイント２６１と直接的に連結されている。ここで、環状体２８ｆは、拡開板２２ｅ及び拡開板２４ｅの周方向中央部側端部どうしを所定の距離だけ自由となる状態で連結している。これにより、たとえば、拡開板２２ｅが約９０°を超えて外方向に回動するといった不具合を回避でき、環状体２８ｆは、拡開板２２ｅを所定の状態に規制する状態規制部材として機能する。
なお、その他の構成、使用方法及び動作は、ほぼ第三実施形態の血圧計用腕帯１ｅと同様としてある。
【００４９】
このように、本実施形態の血圧計用腕帯１ｆは、操作手段２ｆによって、血圧計用腕帯１ｆを腕に容易に着脱することができ、かつ、巻き付けられた弾性薄板３が、腕形状に応じて自在に（引っ張りポイント２６１，２７１における曲げによる変形を除いた範囲で自在に）ねじれたり曲ることができるので、フィット性が向上するとともに、血圧を精度よく測定することができる。また、血圧計用腕帯１ｆを拡開する際、環状の弾性薄板３の周方向に離れた二箇所の引っ張りポイント２７１，２６１が開方向に引っ張られるとともに、拡開板２２ｅ，２４ｅの中央部側の端部２２２ｆ，２４２ｆによって周方向中央部付近が押下されるので、小さな力で効率よく血圧計用腕帯１ｆを拡開することができる。
また、本実施形態及び上記第三実施形態は、様々な応用例を有しており、次に、これら応用例の一部を、図面を参照して説明する。
【００５０】
（第四応用例）
図９は、本発明の血圧計用腕帯の実施形態にかかる応用例を説明するための要部の概略図であり、（ａ）は第三実施形態の第四応用例の腕軸方向断面図を、（ｂ）は第四実施形態の第五応用例の腕軸方向断面図を示している。
同図（ａ）において、血圧計用腕帯１ｇは、第三実施形態と比較して、操作手段２ｇが、拡開板２２ｅ、布２８及び拡開板２４ｅを有する代わりに、拡開板２２ｇ、布２８ｇ及び撮み２５ｇを有する点が相違する。
したがって、図９（ａ）において、図７と同様の構成部分については同一の符号を付して、その詳細な説明を省略する。
【００５１】
拡開板２２ｇは、周方向中央部と反対側の端部２２１が、弾性薄板３の引っ張りポイント２７１と直接的に連結されており、かつ、周方向中央部側の端部が、布２８ｇを介して弾性薄板３の周方向中央部と連結されている。ここで、布２８ｇは、拡開板２２ｇの周方向中央部側端部を、この中央部から所定の距離だけ自由となる状態で連結している。これにより、たとえば、拡開板２２ｇが約９０°を超えて外方向に回動するといった不具合を回避でき、布２８ｇは、拡開板２２ｇを所定の状態に規制する状態規制部材として機能する。
また、撮み２５ｇは、引っ張りポイント２６１より周方向中央部側に位置する引っ張りポイント２６１ｇに直接的に突設されている。この突設は、一体成形、溶着又は接着などによって行われている。撮み２５ｇは、開方向に撮まれると、周方向中央部と引っ張りポイント２６１ｇに挟まれた弾性薄板３とともに、周方向中央部を回動中心として回動する。
なお、その他の構成は、ほぼ血圧計用腕帯１ｅと同様としてある。
【００５２】
上記構成の血圧計用腕帯１ｇによれば、図示してないが、操作手段２ｇによって、血圧計用腕帯１ｇを腕に容易に着脱することができ、かつ、巻き付けられた弾性薄板３が、腕形状に応じて自在に（弾性薄板３の引っ張りポイント２７１，２６１ａにおける曲げによる変形を除いた範囲で自在に）ねじれたり曲ることができるので、フィット性が向上するとともに、血圧を精度よく測定することができる。また、血圧計用腕帯１ｇを拡開する際、環状の弾性薄板３の周方向に離れた二箇所の引っ張りポイント２７１，２６１ｇが開方向に引っ張られるとともに、拡開板２２ｇの中央部側端部によって周方向中央部付近が押下されるので、小さな力で効率よく血圧計用腕帯１ｇを拡開することができる。
【００５３】
（第五応用例）
図９（ｂ）において、血圧計用腕帯１ｈは、第四実施形態の第五応用例であり、第四実施形態と比較して、操作手段２ｈが、拡開板２２ｅ、環状体２８ｆ及び拡開板２４ｅを有する代わりに、拡開板２２ｈ、環状体２８ｈ及び撮み２５ｇを有する点が相違する。
したがって、図９（ｂ）において、図８と同様の構成部分については同一の符号を付して、その詳細な説明を省略する。
【００５４】
環状体２８ｈは、断面が長円状の腕軸方向に細長い形状としてある。また、拡開板２２ｈは、周方向中央部側の端部に、開口部が形成されており、ほぼ角棒状の端部２２２ｈが、環状体２８ｈに係入されている。さらに、弾性薄板３は、周方向中央部に、連結軸２６２ｈが設けられており、この連結軸２６２ｈは、環状体２８ｈに係入されている。ここで、環状体２８ｈは、拡開板２２ｈの周方向中央部側端部を、弾性薄板３の周方向中央部に対して所定の距離だけ自由となる状態で連結している。これにより、たとえば、拡開板２２ｈが約９０°を超えて外方向に回動するといった不具合を回避でき、環状体２８ｈは、拡開板２２ｈを所定の状態に規制する状態規制部材として機能する。
なお、その他の構成、使用方法及び動作は、ほぼ第四実施形態の血圧計用腕帯１ｆと同様としてある。
【００５５】
上記構成の血圧計用腕帯１ｈによれば、図示してないが、操作手段２ｈによって、血圧計用腕帯１ｈを腕に容易に着脱することができ、かつ、巻き付けられた弾性薄板３が、腕形状に応じて自在に（弾性薄板３の引っ張りポイント２７１，２６１ｇにおける曲げによる変形を除いた範囲で自在に）ねじれたり曲ることができるので、フィット性が向上するとともに、血圧を精度よく測定することができる。また、血圧計用腕帯１ｈを拡開する際、環状の弾性薄板３の周方向に離れた二箇所の引っ張りポイント２７１，２６１ｇが開方向に引っ張られるとともに、拡開板２２ｈの中央部側端部によって周方向中央部付近が押下されるので、小さな力で効率よく血圧計用腕帯１ｈを拡開することができる。
【００５６】
（第六応用例）
また、上記第五応用例は、様々な応用例を有している。たとえば、図１０に示す第六応用例にかかる血圧計用腕帯１ｉは、拡開板２４ｉを所定の状態内に留める状態規制部材として、環状体２８ｈの代わりに、端部２４１の外側の弾性薄板３から拡開板２２ｉを覆うように突設されたストッパー２６ｉを用いた構成としてある。なお、その他の構成、使用方法及び動作は、ほぼ第五応用例の血圧計用腕帯１ｈと同様としてある。
この血圧計用腕帯１ｉは、拡開板２２ｉが約９０°を超えて外方向に回動するといった不具合を回避でき、血圧計用腕帯１ｈとほぼ同様の効果を得ることができる。
【００５７】
［第五実施形態］
以下、本発明の血圧計用腕帯の第五実施形態について、図面を参照して説明する。
図１１は、本発明の血圧計用腕帯の要部の概略図であり、（ａ）は第五実施形態の腕軸方向断面図を、（ｂ）は第五実施形態の第七応用例の腕軸方向断面図を示している。
同図（ａ）において、第五実施形態の血圧計用腕帯１ｊは、第一実施形態と比較して、操作手段２ｊが、布２７、回動板２２、ヒンジ２１、回動板２４及び布２６を有する代わりに、布２７ｊ、挟み部材２２ｊ、回動軸２８ｊ、挟み部材２４ｊ及び布２６ｊを有する点が相違する。
したがって、図１１（ａ）において、図１と同様の構成部分については同一の符号を付して、その詳細な説明を省略する。
【００５８】
挟み部材２２ｊ、２４ｊは、弾性薄板３の半径より大きな曲率半径を有する湾曲した矩形板からなる挟み部２２０ｊ、２４０ｊと、この挟み部２２０ｊ、２４０ｊの中央側端部から外側斜め上方にそれぞれ突設された撮み部２３ｊ、２５ｊとからなっている。この挟み部材２２ｊ、２４ｊは、挟み部２２０ｊ、２４０ｊの中央側端部に回動軸２８ｊが挿入されており、回動中心（回動軸２８ｊ）が、弾性薄板３の周方向中央部付近上方に（弾性薄板３と当接しないくらい上方に）位置している。
上記挟み部材２２ｊ、２４ｊは、厚さが約２ｍｍから数ｍｍの硬質の樹脂からなる剛体としてあり、血圧計用腕帯１ｊを拡開する際に撮み部２３ｊ、２５ｊが内方向に撮まれると、挟み部２２０ｊ、２４０ｊの端部２２１、２４１が外方向に回動する。
【００５９】
挟み部材２２ｊは、弾性薄板３の引っ張りポイント２７１に対応する挟み部２２０ｊの端部２２１が、布２７ｊを介して、引っ張りポイント２７１と連結されている。また、挟み部材２４ｊは、弾性薄板３の引っ張りポイント２６１に対応する挟み部２４０ｊの端部２４１が、布２６ｊを介して、引っ張りポイント２６１と連結されている。ここで、布２７ｊ及び布２６ｊを介して連結することにより、挟み部２２０ｊの端部２２１と引っ張りポイント２７１、及び、挟み部２４０ｊの端部２４１と引っ張りポイント２６１が、それぞれ所定の距離だけ自由となる状態で連結される。これにより、弾性薄板３は、引っ張りポイント２７１，２６１が剛体である端部２２１，２４１と直接的に連結されていないので、腕形状に応じて自在にねじれたり曲ることが可能となり、フィット性を向上させることができるとともに、血圧を精度よく測定することができる。
【００６０】
このように、本実施形態の血圧計用腕帯１ｊは、操作手段２ｊによって、血圧計用腕帯１を腕に容易に着脱することができ、かつ、巻き付けられた弾性薄板３が、腕形状に応じて自在にねじれたり曲ることができるので、フィット性が向上するとともに、血圧を精度よく測定することができる。また、血圧計用腕帯１ｊを拡開する際、環状の弾性薄板３の周方向に離れた二箇所の引っ張りポイント２７１，２６１が開方向に引っ張られ、容易に血圧計用腕帯１ｊを拡開することができる。さらに、連結部材として、布２７ｊ，２６ｊを使用しているので、構造を単純化することができ、製造原価のコストダウンを図ることができる。
【００６１】
（第七応用例）
図１１（ｂ）において、血圧計用腕帯１ｋは、第五実施形態の第七応用例であり、第五実施形態と比較して、操作手段２ｋが、布２７ｊ、挟み部材２２ｊ、回動軸２８ｊ及び挟み部材２４ｊを有し、すなわち、布２６ｊを設けることなく、端部２４１と引っ張りポイント２６１とを直接的に連結した点が相違する。
なお、その他の構成、使用方法及び動作は、ほぼ第五実施形態の血圧計用腕帯１ｊと同様としてある。
【００６２】
上記構成の血圧計用腕帯１ｋによれば、図示してないが、操作手段２ｋによって、血圧計用腕帯１ｋを腕に容易に着脱することができ、かつ、巻き付けられた弾性薄板３が、腕形状に応じて自在に（弾性薄板３の引っ張りポイント２６１における曲げによる変形を除いた範囲で自在に）ねじれたり曲ることができるので、フィット性が向上するとともに、血圧を精度よく測定することができる。
【００６３】
［第六実施形態］
以下、本発明の血圧計用腕帯の第六実施形態について、図面を参照して説明する。
図１２は、本発明の血圧計用腕帯の第六実施形態にかかる要部の腕軸方向断面図を示している。
同図において、血圧計用腕帯１ｍは、第五実施形態と比較して、操作手段２ｍが、布２７ｊ、挟み部材２２ｊ、回動軸２８ｊ、挟み部材２４ｊ及び布２６ｊを有する代わりに、挟み部材２２ｊ、布２８ｍ及び挟み部材２４ｊを有する点が相違する。
したがって、図１２において、図１１（ａ）と同様の構成部分については同一の符号を付して、その詳細な説明を省略する。
【００６４】
操作手段２ｍは、挟み部２２０ｊの端部２２１と引っ張りポイント２７１とを直接的に連結し、かつ、挟み部２４０ｊの端部２４１と引っ張りポイント２６１とを直接的に連結してある。さらに、一対の挟み部材２２ｊ，２４ｊが所定の距離だけ自由となり、かつ、回動できるように、回動軸２８ｊの代わりに布２８ｍを用いて、挟み部材２２ｊと挟み部材２４ｊとを回動自在に連結してある。
なお、その他の構成、使用方法及び動作は、ほぼ第五実施形態の血圧計用腕帯１ｊと同様としてある。
【００６５】
このように、本実施形態の血圧計用腕帯１ｍは、操作手段２ｍによって、血圧計用腕帯１ｍを腕に容易に着脱することができ、かつ、巻き付けられた弾性薄板３が、腕形状に応じて自在に（弾性薄板３の引っ張りポイント２７１，２６１における曲げによる変形を除いた範囲で自在に）ねじれたり曲ることができるので、フィット性が向上するとともに、血圧を精度よく測定することができる。また、血圧計用腕帯１ｍを拡開する際、環状の弾性薄板３の周方向に離れた二箇所の引っ張りポイント２７１，２６１が開方向に引っ張られ、容易に血圧計用腕帯１ｍを拡開することができる。さらに、連結部材として、布２８ｍを使用しているので、構造を単純化することができ、製造原価のコストダウンを図ることができる。
【００６６】
以上、本発明の血圧計用腕帯について、好ましい実施形態を示して説明したが、本発明に係る血圧計用腕帯は、上述した実施形態にのみ限定されるものではなく、本発明の範囲で種々の変更実施が可能であることは言うまでもない。
例えば、第三実施形態の血圧計用腕帯１ｅや第四実施形態の血圧計用腕帯１ｆは、状態規制部材として、布２８や環状体２８ｆを設けた構成としてあるが、これに限定されるものではない。たとえば、拡開板２２ｅや拡開板２４ｅの中央側の端部が弾性薄板３の周方向中央部より僅かに浮いた状態となるように、端部２２１及び端部２４１を弾性薄板３と連結（たとえば、溶着などによって）することによって、布２８や環状体２８ｆを設けなくても、ほぼ同様の効果を発揮することができる。
【００６７】
また、第六実施形態の血圧計用腕帯１ｍは、連結部材として、布２８ｍを設けているが、これに限定されるものではなく、たとえば、挟み部２２０ｊや挟み部２４０ｊが弾性薄板３より僅かに浮いた状態となるように、端部２２１及び端部２４１を弾性薄板３と連結（たとえば、溶着などによって）することによって、布２８ｍを設けなくても、ほぼ同様の効果を発揮することができる。
さらに、血圧計用腕帯１ｊ，１ｋ，１ｍは、拡開する際、それぞれの操作手段２ｊ，２ｋ，２ｍが、弾性薄板３周方向中央部付近を押下する構成としてもよい。このようにすると、弾性薄板３の周方向に離れた二箇所の引っ張りポイントが開方向に引っ張られるとともに、周方向中央部付近が押下されるので、小さな力で効率よく血圧計用腕帯１ｊ，１ｋ，１ｍを拡開することができる。
【図面の簡単な説明】
【００６８】
【図１】本発明の血圧計用腕帯の第一実施形態の概略斜視図を示している。
【図２】本発明の血圧計用腕帯の第一実施形態の動作を説明するための要部の概略図であり、（ａ）は閉じた状態の腕軸方向断面図を、（ｂ）は拡開された状態の腕軸方向断面図を示している。
【図３】本発明の血圧計用腕帯の第一実施形態にかかる応用例を説明するための要部の概略図であり、（ａ）は第一応用例の腕軸方向断面図を、（ｂ）は第二応用例の腕軸方向断面図を示している。
【図４】本発明の血圧計用腕帯の第二実施形態の概略斜視図を示している。
【図５】本発明の血圧計用腕帯の第二実施形態の動作を説明するための要部の概略図であり、（ａ）は閉じた状態の腕軸方向断面図を、（ｂ）は拡開された状態の腕軸方向断面図を示している。
【図６】本発明の血圧計用腕帯の第二実施形態にかかる第三応用例を説明するための要部の概略腕軸方向断面図を示している。
【図７】本発明の血圧計用腕帯の第三実施形態にかかる要部の概略図であり、（ａ）は閉じた状態の腕軸方向断面図を、（ｂ）は拡開された状態の腕軸方向断面図を示している。
【図８】本発明の血圧計用腕帯の第四実施形態にかかる要部の概略図であり、（ａ）は閉じた状態の腕軸方向断面図を、（ｂ）は拡開された状態の腕軸方向断面図を示している。
【図９】本発明の血圧計用腕帯の実施形態にかかる応用例を説明するための要部の概略図であり、（ａ）は第三実施形態の第四応用例の腕軸方向断面図を、（ｂ）は第四実施形態の第五応用例の腕軸方向断面図を示している。
【図１０】本発明の血圧計用腕帯の第六応用例の概略斜視図を示している。
【図１１】本発明の血圧計用腕帯の要部の概略図であり、（ａ）は第五実施形態の腕軸方向断面図を、（ｂ）は第五実施形態の第七応用例の腕軸方向断面図を示している。
【図１２】本発明の血圧計用腕帯の第六実施形態にかかる要部の腕軸方向断面図を示している。
【符号の説明】
【００６９】
１，１ａ，１ｂ，１ｃ，１ｄ  血圧計用腕帯
１ｅ，１ｆ，１ｇ，１ｈ，１ｉ  血圧計用腕帯
１ｊ，１ｋ，１ｍ  血圧計用腕帯
２，２ａ，２ｂ，２ｃ，２ｄ  操作手段
２ｅ，２ｆ，２ｇ，２ｈ，２ｉ  操作手段
２ｊ，２ｋ，２ｍ  操作手段
３  弾性薄板
１１  空気袋
２１  ヒンジ
２２，２２ａ  回動板
２２ｅ，２２ｇ，２２ｈ  拡開板
２２ｊ，２４ｊ  挟み部材
２３  撮み
２３ｊ，２５ｊ  撮み部
２４  回動板
２４ａ  保持板
２４ｅ，２４ｉ  拡開板
２５，２５ｂ  撮み
２６  布
２６ｃ  環状体
２６ｉ  ストッパー
２７  布
２７ｃ  環状体
２８，２８ｇ，２８ｍ  布
２８ｆ，２８ｈ  環状体
２８ｊ  回動軸
２２０ｊ，２４０ｊ  挟み部
２２１，２２２，２２２ｆ，２２２ｇ，２２２ｈ  端部
２４１，２４２ｆ  端部
２４２  開口部
２６１，２６１ａ，２６１ｂ，２６１ｇ  引っ張りポイント
２６２，２６２ｈ  連結軸
２７１  引っ張りポイント
２７２  連結軸  
【図１】
2007295981.tif 000003
【図２】
2007295981.tif 000004
【図３】
2007295981.tif 000005
【図４】
2007295981.tif 000006
【図５】
2007295981.tif 000007
【図６】
2007295981.tif 000008
【図７】
2007295981.tif 000009
【図８】
2007295981.tif 000010
【図９】
2007295981.tif 000011
【図１０】
2007295981.tif 000012
【図１１】
2007295981.tif 000013
【図１２】
2007295981.tif 000014